【手続補正書】
【提出日】平成18年6月13日(2006.6.13)
【手続補正１】
【補正対象書類名】明細書
【補正対象項目名】発明の名称
【補正方法】変更
【補正の内容】
【発明の名称】記録装置および該装置の制御方法
【手続補正２】
【補正対象書類名】明細書
【補正対象項目名】特許請求の範囲
【補正方法】変更
【補正の内容】
【特許請求の範囲】
【請求項１】  記録データを供給する複数種類の入力手段に接続可能な記録装置であって、
記録速度の異なる複数種類の記録モードと、
接続された前記入力手段の種類を識別する識別手段と、
当該識別に応じて、前記接続された入力手段から供給される記録データを記録する際に、画像品位の低下が生じない速度で記録を行う記録モードを前記複数種類の記録モードから選択する手段と、
を具えたことを特徴とする記録装置。
【請求項２】  第１の記録動作および第２の記録動作の記録位置を合わせるための調整値を設定する設定手段と、
前記調整値に従って、前記第１の記録動作と前記第２の記録動作との互いの記録位置を調整して記録を行う制御手段と、をさらに具え、
前記識別手段による識別、および前記設定手段による前記調整値の設定処理が既に行われたか否かの判別に応じて、前記記録モードが選択されることを特徴とする請求項１に記載の記録装置。
【請求項３】  前記設定手段による設定処理は、前記複数種類の入力手段のうち所定種類の入力手段が接続されたときに可能であることを特徴とする請求項２に記載の記録装置。
【請求項４】  前記設定処理が行われたことを示す情報を保持する手段を具え、前記所定種類の入力手段以外の入力手段が接続されたときにも、前記情報が保持されていれば、前記所定種類の入力手段が接続された場合と同じ記録モードが選択されることを特徴とする請求項３に記載の記録装置。
【請求項５】  前記所定種類の入力手段が接続されたことが識別された場合には、前記設定処理が既に行われたか否かの判別は行わないことを特徴とする請求項３に記載の記録装置。
【請求項６】  前記設定処理が行われたことを示す情報は、前記所定種類の入力手段に保持され、
前記所定種類の入力手段が接続されたときに、記録データに先立って前記情報が伝えられることを特徴とする請求項３に記載の記録装置。
【請求項７】  前記所定種類の入力手段が接続されたことの識別は、該手段からの信号に基づいて行われることを特徴とする請求項３に記載の記録装置。
【請求項８】  複数の接続手段を具え、前記所定種類の入力手段が接続されたことの識別は、所定の接続手段への入力手段の接続に基づいて行われることを特徴とする請求項３に記載の記録装置。
【請求項９】  前記複数種類の入力手段のうち所定種類の入力手段は、前記第１および第２記録動作での記録位置が合うようにしたデータを入力可能であることを特徴とする請求項２に記載の記録装置。
【請求項１０】  前記所定種類の入力手段はコンピュータであることを特徴とする請求項３ないし９のいずれかに記載の記録装置。
【請求項１１】  複数の記録素子を配列してなる記録手段を前記配列の方向とは異なる方向に記録媒体に対し主走査する手段と、該主走査後に主走査の方向に直交する方向に前記記録媒体を相対的に副走査する手段と、を具え、前記第１および第２の記録動作は、それぞれ、前記記録手段を往方向および復方向に主走査させて行う記録動作であることを特徴とする請求項３ないし１０のいずれかに記載の記録装置。
【請求項１２】  前記所定種類の入力手段が接続されたことが識別された場合には高速に記録を行う記録モードを、識別されなかった場合には低速に記録を行うモードを選択することを特徴とする請求項３ないし１１のいずれかに記載の記録装置。
【請求項１３】  前記高速に記録を行う記録モードは前記往方向および復方向での記録を行うモードであり、前記低速に記録を行う記録モードは前記往方向および復方向のいずれか一方で記録を行うモードであることを特徴とする請求項１２に記載の記録装置。
【請求項１４】  前記低速に記録を行うモードは、前記高速に記録を行うモードより、前記主走査の速度を低くして記録を行うモードであることを特徴とする請求項１２に記載の記録装置。
【請求項１５】  前記低速に記録を行うモードは、前記高速に記録を行うモードより、記録に関与する記録素子の数を限定して記録を行うモードであることを特徴とする請求項１２に記載の記録装置。
【請求項１６】  前記記録素子は前記主走査方向に対して同一色調の記録剤について複数列配列され、前記低速に記録を行うモードでは前記高速に記録を行うモードより記録に用いる前記記録素子の列を少なくすることを特徴とする請求項１５に記載の記録装置。
【請求項１７】  前記副走査は、前記主走査間で前記複数の記録素子の配列幅未満の量ずつ行うとともに、同一画像領域に対しては相補的な関係にある画素配列に従った複数回の主走査にて記録媒体上に画像の形成を行うことが可能で、前記低速に記録を行うモードは、前記高速に記録を行うモードより、前記主走査の回数を多くして記録を行うモードであることを特徴とする請求項１２に記載の記録装置。
【請求項１８】  前記所定種類の入力手段が接続されたことが識別されなかった場合には、識別された場合より、画像処理の解像度を低くすることを特徴とする請求項３ないし１１のいずれかに記載の記録装置。
【請求項１９】  記録データを供給する複数種類の入力手段に接続可能であるとともに、記録速度の異なる複数種類の記録モードを具えた記録装置の制御方法であって、
接続された前記入力手段の種類を識別し、
当該識別に応じて、前記接続された入力手段から供給される記録データを記録する際に、画像品位の低下が生じない速度で記録を行う記録モードを前記複数種類の記録モードから選択する、
ことを特徴とする記録装置の制御方法。
【請求項２０】  互いの記録位置の合った第１および第２の記録動作により記録が可能で、前記識別、および前記記録位置を合わせるための調整値の設定処理が既に行われたか否かの判別に応じて、前記記録モードを選択することを特徴とする請求項１９に記載の記録装置の制御方法。
【手続補正３】
【補正対象書類名】明細書
【補正対象項目名】０００１
【補正方法】変更
【補正の内容】
【０００１】
【発明の属する技術分野】
本発明は、記録装置およびその制御方法に関するものである。
【手続補正４】
【補正対象書類名】明細書
【補正対象項目名】０００９
【補正方法】変更
【補正の内容】
【０００９】
本発明は、複数種類の記録データ入力手段や使用環境に適切に対応して入力データの記録が可能な記録装置およびその制御方法を提供することを目的とする。
【手続補正５】
【補正対象書類名】明細書
【補正対象項目名】００１０
【補正方法】変更
【補正の内容】
【００１０】
【課題を解決するための手段】
そのために、本発明は、記録データを供給する複数種類の入力手段に接続可能な記録装置であって、
記録速度の異なる複数種類の記録モードと、
接続された前記入力手段の種類を識別する識別手段と、
当該識別に応じて、前記接続された入力手段から供給される記録データを記録する際に、画像品位の低下が生じない速度で記録を行う記録モードを前記複数種類の記録モードから選択する手段と、
を具えたことを特徴とする。
また、本発明は、記録データを供給する複数種類の入力手段に接続可能であるとともに、記録速度の異なる複数種類の記録モードを具えた記録装置の制御方法であって、
接続された前記入力手段の種類を識別し、
当該識別に応じて、前記接続された入力手段から供給される記録データを記録する際に、画像品位の低下が生じない速度で記録を行う記録モードを前記複数種類の記録モードから選択する、
ことを特徴とする。